(57)【要約】【課題】洗浄液に対して再分散性が良好な液体セットを備えた２液反応系のインクジェット記録装置を提供する。【解決手段】溶媒不溶性材料を含有する複数の第１の液体、及び前記溶媒不溶性材料を凝集させる第２の液体から成る液体セットと、前記複数の第１の液体、及び前記第２の液体をそれぞれ異なる吐出口から吐出する液体吐出手段と、前記溶媒不溶性材料の凝集物を再分散させる洗浄液を供給する洗浄液供給手段と、を備え、前記複数の第１の液体に含有される溶媒不溶性材料の平均粒子径のうち、最大となる粒子径をDmax、最小となる粒子径をDminとしたとき、次式 Dmax/Dmin≦2.6 を満足することを特徴とするインクジェット記録装置を提供することにより、前記課題を解決する。【選択図】  図１
2008246786.tif 000002
【特許請求の範囲】
【請求項１】
溶媒不溶性材料を含有する複数の第１の液体、及び前記溶媒不溶性材料を凝集させる第２の液体から成る液体セットと、
前記複数の第１の液体、及び前記第２の液体をそれぞれ異なる吐出口から吐出する液体吐出手段と、
前記溶媒不溶性材料の凝集物を再分散させる洗浄液を供給する洗浄液供給手段と、を備え、
前記複数の第１の液体に含有される溶媒不溶性材料の平均粒子径のうち、最大となる粒子径をDmax、最小となる粒子径をDminとしたとき、次式 Dmax/Dmin≦2.6 を満足することを特徴とするインクジェット記録装置。
【請求項２】
前記複数の第１の液体に含有される溶媒不溶性材料の平均粒子径はいずれも５０ｎｍ以上であることを特徴とする請求項１に記載のインクジェット記録装置。
【請求項３】
前記第１の液体は、溶媒不溶性材料として少なくとも１種類のラテックスを含有することを特徴とする請求項１又は請求項２に記載のインクジェット記録装置。
【請求項４】
前記ラテックスのガラス転移点は４５℃以上であることを特徴とする請求項３に記載のインクジェット記録装置。
【請求項５】
前記洗浄液供給手段から供給される洗浄液により前記液体吐出手段の吐出口が開口する面を洗浄する洗浄手段を更に備えたことを特徴とする請求項１乃至請求項４のいずれか１項に記載のインクジェット記録装置。
【請求項６】
溶媒不溶性材料を含有する複数の第１の液体、及び前記溶媒不溶性材料を凝集させる第２の液体を液体吐出手段のそれぞれ異なる吐出口から吐出する液体吐出工程と、
前記溶媒不溶性材料の凝集物を再分散させる洗浄液を供給する洗浄液供給工程と、を有し、
前記複数の第１の液体に含有される溶媒不溶性材料の平均粒子径のうち、最大となる粒子径をDmax、最小となる粒子径をDminとしたとき、次式 Dmax/Dmin≦2.6 を満足することを特徴とするインクジェット記録方法。
【請求項７】
前記複数の第１の液体に含有される溶媒不溶性材料の平均粒子径はいずれも５０ｎｍ以上であることを特徴とする請求項６に記載のインクジェット記録方法。
【請求項８】
前記第１の液体は、溶媒不溶性材料として少なくとも１種類のラテックスを含有することを特徴とする請求項６又は請求項７に記載のインクジェット記録方法。
【請求項９】
前記ラテックスのガラス転移点は４５℃以上であることを特徴とする請求項８に記載のインクジェット記録方法。
【請求項１０】
前記洗浄液供給工程により供給される洗浄液により前記液体吐出手段の吐出口が開口する面を洗浄する洗浄工程を更に有することを特徴とする請求項６乃至請求項９のいずれか１項に記載のインクジェット記録方法。
【発明の詳細な説明】
【技術分野】
【０００１】
本発明はインクジェット記録装置及びインクジェット記録方法に係り、特に、溶媒不溶性材料を含有する第１の液体と、溶媒不溶性材料を凝集させる第２の液体とをそれぞれ異なる吐出口から吐出することにより記録を行う２液反応系のインクジェット記録装置及びインクジェット記録方法に関する。
【背景技術】
【０００２】
インクジェット記録方式を利用した記録装置（インクジェット記録装置）は、記録ヘッドの吐出面に設けられる複数のノズル（吐出口）から記録媒体に向かってインク滴を吐出することにより記録を行うものであり、低騒音、低ランニングコスト、装置小型化の容易性などの観点から、家庭用から業務用まで幅広い分野で使用されている。このような記録装置において、特に普通紙のような耐水性の低い記録媒体が用いられる場合には、カラーブリーディング、フェザリング、濃度不足などが生じやすく良好な画像を得られないという問題がある。長期的に安定吐出を実現するためには、インク中に含まれる色材の濃度をそれ程高く設定することはできないことによる。
【０００３】
インクジェット記録装置では画像品質の向上を図る手段の一つとして、インク吸収層を備えた専用紙（インクジェット専用紙）が用いられている。しかし、専用紙を用いる場合には、コストアップとなるのでユーザー負担が大きくなり、また、インク吸収層の分だけ厚くなるので風合いも普通紙とは異なり、全てのユーザーにとって好ましい解決手段ではない。
【０００４】
インクジェット記録装置として、色材を含有するインクと、色材を不溶化又は凝集させる処理液とを異なる吐出口（ノズル）からそれぞれ吐出する２液反応系の記録装置が知られている。記録媒体上でインクと処理液を反応させることにより、色材を不溶化又は凝集させて画像の定着性を向上し、カラーブリーディングやフェザリングのない良好な画像品質を得ることができる。例えば、特許文献１には、染料を不溶化する無色インク（処理液に相当）を記録ヘッドによって記録媒体上に付着させる技術が開示されている。また、特許文献２には、カルボキシル基を有する化学染料を含むインクを使用し、記録媒体上に多価金属塩溶液（処理液に相当）を一度付与し、その後インクを付与して、カラーブリードのない、耐水性の良好な画像を得る技術が開示されている。更に、特許文献３には、記録性向上液（処理液に相当）とカチオン性樹脂微粒子と有機顔料を組み合せたインクでより耐光性良好なインクジェット記録技術が開示されている。
【０００５】
インクジェット記録装置において、記録ヘッドの吐出面上でインクのコンタミーネーション（以下、略して「インクコンタミ」という。）は比較的よく見られる現象である。例えば、インク吐出時に発生するインク滴のサテライトが吐出面に付着したり、ノズル吸引やワイピングといったヘッドメンテナンス時にインクが吐出面に付着したり、搬送中の記録媒体が吐出面に付着して記録媒体上のインクが吐出面に付着したりすることなどによってインクコンタミが発生する。一般的なインクジェット記録装置では、予備吐出、ノズル吸引、ワイピングなどにより吐出面上のインクコンタミを解消できるが、２液反応系のインクジェット記録装置ではインクコンタミは非常に深刻な問題となる。処理液は記録媒体上でインクと反応させることを目的として用いられるものであるが、吐出面上でインクコンタミが発生すると不必要な反応が起こり、不溶化又は凝集した色材によってノズルの開口部分の一部又は全部が塞がれ、不吐出などの吐出不良が多発しやすい。
【０００６】
従来、装置の信頼性を保つために、複数のワイピング部を備える、ワイピング方向を制限するなど、不要反応を防ぐ手段がとられている（例えば、特許文献４参照）。
【０００７】
また、反応性インクとその反応を抑制する洗浄剤のセットを備え、記録ヘッドを洗浄液で洗浄する方法がとられるようになり、１度不必要に反応して記録ヘッドが吐出不能となった際の対応がとられるようになった（例えば、特許文献５、６参照）。また、吐出前に洗浄剤を吐出面に付与し、率先して不必要なインク反応を防止する対応もとられるようになった（例えば、特許文献７参照）。
【０００８】
一方で、インクに樹脂成分を添加し、機能を向上させることがある。その機能として代表的なものはインクに定着性樹脂を添加する方式であり、高分子ラテックスを添加したインクを用い、記録媒体にそのインクを付与した後、高分子ラテックスのガラス転移点以上に加熱すると、記録媒体上での画像の定着性向上、耐擦性向上、更には画像に光沢性、透明感を持たせることができる（例えば、特許文献８、９参照）。
【特許文献１】特開昭６４−６３１８５号公報
【特許文献２】特開平５−２０２３２８号公報
【特許文献３】特開２００３−３４０７０号公報
【特許文献４】特開平８−２８１９６８号公報
【特許文献５】特開２００４−９８６８４号公報
【特許文献６】特開２００４−１１５５５３号公報
【特許文献７】特開２００５−２５４５９９号公報
【特許文献８】特開２０００−８５２３８号公報
【特許文献９】特開２００３−１７１５８８号公報
【発明の開示】
【発明が解決しようとする課題】
【０００９】
しかしながら、特許文献４に記載された発明では、不要反応をある程度防止することはできても、１度固着した反応物に対する対応はなされていない。特に、顔料インクが用いられる場合には、処理液との反応によって顔料の凝集物が吐出面に固着し、元の状態に回復不能となり、最悪の場合には記録ヘッドに深刻なダメージを与えてしまう恐れがある。
【００１０】
また、特許文献５〜７に記載された発明では、色再現性を向上させるためインク種を増やすと、同じ洗浄剤を用いても分散性の異なる現象があり、十分な洗浄効果を得られないことがあることが分かった。
【００１１】
また、特許文献８、９に記載された発明では、樹脂添加インクを用いることで滲みのない画像記録が可能であるが、ラテックスが不要反応すると、通常はガラス転移点以上に加熱しないと融着しないものが比較的低温でも融着してしまい、記録ヘッドに樹脂成分が固着し、吐出不良になる問題が発生することが分かった。更に、このような状態でいくら洗浄剤を用いて記録ヘッドの洗浄を行っても、回復不能であり、致命的な問題が発生することが分かった。
【００１２】
本発明はこのような事情に鑑みてなされたもので、洗浄液に対して再分散性が良好な液体セットを備えた２液反応系のインクジェット記録装置及びインクジェット記録方法を提供することを目的とする。
【課題を解決するための手段】
【００１３】
前記目的を達成するために、請求項１に記載の発明は、溶媒不溶性材料を含有する複数の第１の液体、及び前記溶媒不溶性材料を凝集させる第２の液体から成る液体セットと、前記複数の第１の液体、及び前記第２の液体をそれぞれ異なる吐出口から吐出する液体吐出手段と、前記溶媒不溶性材料の凝集物を再分散させる洗浄液を供給する洗浄液供給手段と、を備え、前記複数の第１の液体に含有される溶媒不溶性材料の平均粒子径のうち、最大となる粒子径をDmax、最小となる粒子径をDminとしたとき、次式 Dmax/Dmin≦2.6 を満足することを特徴とするインクジェット記録装置を提供する。
【００１４】
本発明によれば、第１の液体に含有される溶媒不溶性材料の平均粒子径を所定範囲に制限することにより、洗浄液に対して再分散性が良好な液体セットを提供することができる。従って、例えば液体吐出手段の吐出口が開口する面（吐出面）で溶媒不溶性材料が凝集して固化しても、洗浄手段による洗浄によって元の状態に回復可能であり、吐出不良のない、高品位な画像記録を実現することができる。
【００１５】
本発明は、液体吐出手段の吐出面の洗浄に限らず、紙搬送部の洗浄、その他中間転写型インクジェット記録装置での転写体表面の洗浄などにも適用することができる。
【００１６】
本発明において、次式 Dmax/Dmin≦2.6、より好ましくは、次式 Dmax/Dmin≦2.0を満足することにより、液体吐出手段の吐出面に対する洗浄性が良好となる。
【００１７】
請求項２に記載の発明は、請求項１に記載のインクジェット記録装置であって、前記複数の第１の液体に含有される溶媒不溶性材料の平均粒子径はいずれも５０ｎｍ以上であることを特徴とする。
【００１８】
請求項２の態様によれば、高密な凝集物の形成を防止することができる。
【００１９】
請求項３に記載の発明は、請求項１又は請求項２に記載のインクジェット記録装置であって、前記第１の液体は、溶媒不溶性材料として少なくとも１種類のラテックスを含有することを特徴とする。
【００２０】
請求項３の態様によれば、記録媒体上での画像定着性が向上する。
【００２１】
請求項４に記載の発明は、請求項３に記載のインクジェット記録装置であって、前記ラテックスのガラス転移点は４５℃以上であることを特徴とする。
【００２２】
請求項４の態様によれば、凝集後の融着を防止することができる。
【００２３】
請求項５に記載の発明は、請求項１乃至請求項４のいずれか１項に記載のインクジェット記録装置であって、前記洗浄液供給手段から供給される洗浄液により前記液体吐出手段の吐出口が開口する面を洗浄する洗浄手段を更に備えたことを特徴とする。
【００２４】
本発明は、液体吐出手段の吐出面の洗浄に特に好適であり、不必要な凝集物の形成による性能劣化を効果的に防止することができる。
【００２５】
また前記目的を達成するために、請求項６に記載の発明は、溶媒不溶性材料を含有する複数の第１の液体、及び前記溶媒不溶性材料を凝集させる第２の液体を液体吐出手段のそれぞれ異なる吐出口から吐出する液体吐出工程と、前記溶媒不溶性材料の凝集物を再分散させる洗浄液を供給する洗浄液供給工程と、を有し、前記複数の第１の液体に含有される溶媒不溶性材料の平均粒子径のうち、最大となる粒子径をDmax、最小となる粒子径をDminとしたとき、次式 Dmax/Dmin≦2.6 を満足することを特徴とするインクジェット記録方法を提供する。
【００２６】
請求項７に記載の発明は、請求項６に記載のインクジェット記録方法であって、前記複数の第１の液体に含有される溶媒不溶性材料の平均粒子径はいずれも５０ｎｍ以上であることを特徴とする。
【００２７】
請求項８に記載の発明は、請求項６又は請求項７に記載のインクジェット記録方法であって、前記第１の液体は、溶媒不溶性材料として少なくとも１種類のラテックスを含有することを特徴とする。
【００２８】
請求項９に記載の発明は、請求項８に記載のインクジェット記録方法であって、前記ラテックスのガラス転移点は４５℃以上であることを特徴とする。
【００２９】
請求項１０に記載の発明は、請求項６乃至請求項９のいずれか１項に記載のインクジェット記録方法であって、前記洗浄液供給工程により供給される洗浄液により前記液体吐出手段の吐出口が開口する面を洗浄する洗浄工程を更に有することを特徴とする。
【発明の効果】
【００３０】
本発明によれば、第１の液体に含有される溶媒不溶性材料の平均粒子径を所定範囲に制限することにより、洗浄液に対して再分散性が良好な液体セットを提供することができる。従って、例えば液体吐出手段の吐出口が開口する面（吐出面）で溶媒不溶性材料が凝集して固化しても、洗浄手段による洗浄によって元の状態に回復可能であり、吐出不良のない、高品位な画像記録を実現することができる。
【発明を実施するための最良の形態】
【００３１】
以下、添付図面に従って本発明の好ましい実施の形態について詳説する。
【００３２】
〔インクジェット記録装置の説明〕
本発明に係る画像形成装置の一実施形態としてのインクジェット記録装置は、記録ヘッドを記録媒体の搬送方向（副走査方向）に対して垂直な方向、即ち、記録媒体の幅方向（主走査方向）に往復移動させながら、記録ヘッドの吐出面（ノズル面）に設けられる複数のノズルから液滴をそれぞれ吐出するシリアル型であって、その中でも特に、溶媒不溶性材料として色材（顔料）を含有する各色インクと、各色インクと反応して色材を凝集させる処理液を別々に吐出して、記録媒体上で混合し反応させる２液反応系の記録装置である。以下、本実施形態のインクジェット記録装置について詳説する。
【００３３】
図１は、本実施形態のインクジェット記録装置の概略構成を示す模式的斜視図である。図１において、１０は記録ヘッド、１２はカートリッジ、１４はキャリッジ、１６はガイドレール、１８は紙などの記録媒体である。
【００３４】
記録ヘッド１０は、記録媒体１８に対向する吐出面１０ａに複数のノズル（図１中不図示、図２中符号３０として記載）が設けられており、各ノズルから所定の液体（色インク又は処理液）を液滴として記録媒体１８に向かって吐出する液体吐出手段である。
【００３５】
カートリッジ１２は、前記所定の液体を貯蔵するタンクを構成する液体貯蔵部であり、記録ヘッド１０内部に形成される液体流路と連通しており、記録ヘッド１０の液体消費に伴ってカートリッジ１２内の液体が記録ヘッド１０に対して順次供給される。本実施形態では、カートリッジ１２内の液体の残量が少なくなった場合にカートリッジごと交換可能な方式（カートリッジ方式）が採用される。もちろん、不図示のメインタンク内にインクを保管し、不図示の補充口から液体を補充するインクタンク方式でもよい。  
【００３６】
キャリッジ１４は、記録媒体の幅方向（主走査方向）に延在する２本のガイドレール１６、１６に沿って主走査方向に往復移動可能に構成される。キャリッジ１４には、記録ヘッド１０及びカートリッジ１２がそれぞれ所定位置に位置決めされた状態で搭載される。図示の例では、キャリッジ１４の下面に記録ヘッド１０が取り付けられ、記録ヘッド１０上部に黒（Ｋ）、シアン（Ｃ）、マゼンダ（Ｍ）、イエロー（Ｙ）の各色インクと処理液（Ｓ）にそれぞれ対応する５個のカートリッジ１２Ｋ、１２Ｃ、１２Ｍ、１２Ｙ、１２Ｓが配置される。ここでは記録ヘッドが主走査方向に移動するシリアルスキャン型の記録方式を採用しているが、記録ヘッドを固定して記録を行うワンパス記録方式でもよい。
【００３７】
インクジェット記録装置は、不図示の媒体搬送手段によって記録媒体１８を副走査方向（紙搬送方向）に搬送しつつ、記録ヘッド１０とともにキャリッジ１４を主走査方向に往復移動させながら、記録ヘッド１０の吐出面１０ａに形成される複数のノズルからそれぞれ所定の液体（色インク又は処理液）を記録媒体１８に向かって吐出する。記録媒体１８上では、各色インクと処理液が混合して反応し、インク中に含有される色材（顔料）が凝集するので画像定着性が向上し、高品質な画像記録が行われる。
【００３８】
図２は、記録ヘッド１０の吐出面１０ａを示した平面図である。図２において、記録ヘッド１０の吐出面１０ａは、各色インク（Ｋ、Ｃ、Ｍ、Ｙ）及び処理液（Ｓ）にそれぞれ対応する複数のノズル領域２０（２０Ｋ、２０Ｃ、２０Ｍ、２０Ｙ、２０Ｓ）が設けられており、各ノズル領域２０にはそれぞれ対応する色インク又は処理液を吐出する複数のノズル３０（３０Ｋ、３０Ｃ、３０Ｍ、３０Ｙ、３０Ｓ）が２列の千鳥状に配列形成されている。例えば、ノズル領域２０Ｋのノズル３０Ｋは黒インクを吐出し、ノズル領域２０Ｓのノズル３０Ｓは処理液を吐出する。
【００３９】
各色インクに対応するノズル領域２０Ｋ、２０Ｃ、２０Ｍ、２０Ｙと処理液に対応するノズル領域２０Ｓはできるだけ離れて形成されていることが好ましい。即ち、インク吐出用ノズル３０（３０Ｋ、３０Ｃ、３０Ｍ、又は３０Ｙ）と処理液吐出用ノズル３０（３０Ｓ）の最短距離Ｌをできるだけ大きく構成する。後述する実施例では、最短距離Ｌは５５ｍｍに設定される。記録ヘッド１０の吐出面１０ａ上で各色インクと処理液が混合するのを防止することができる。
【００４０】
図３は、記録ヘッド１０及びカートリッジ１２の要部構成を示した部分断面図である。図３に示すように、記録ヘッド１０には、ノズル３０毎に圧力室３２がそれぞれ設けられる。圧力室３２は所定の液体（各色インク又は処理液）が充填される空間部であり、該ノズル３０と連通している。また、圧力室３２に隣接する位置には圧電素子３４が配置される。具体的には、圧力室３２のノズル３０側とは反対側の壁面（図３の上面）を構成する振動板３６上の圧力室３２に対応する位置（即ち、振動板３６を挟んで圧力室３２に対向する位置）に、薄膜状の圧電体の両面に電極が形成された圧電素子３４が配置される。
【００４１】
共通流路３８は各圧力室３２に供給する所定の液体（色インク又は処理液）を貯留する空間部であり、圧力室３２の一端に形成される供給口４０を介して各圧力室３２とそれぞれ連通している。また、共通流路３８は、記録ヘッド１０上部に配置されるカートリッジ１２と供給流路４２を介して連通している。
【００４２】
かかる構成により、圧電素子３４に対して所定の駆動信号が供給されると、圧電素子３４の変位に伴う振動板３６の変形によって、圧力室３２の容積が変化し、これにより、圧力室３２内の液体は加圧され、ノズル３０から液滴が吐出される。液体吐出後、共通流路３８から圧力室３２に液体補充（リフィル）が行われる。また、記録ヘッド１０による液体消費に伴って、カートリッジ１２内の液体が記録ヘッド１０の共通流路３８に対して順次供給される。
【００４３】
図１に示したインクジェット記録装置には、記録媒体１８外側の記録領域外に設定されたメンテナンスポジションの近傍に、メンテナンスユニットとして、ヘッドワイピング部５０（本発明の洗浄手段に相当）と洗浄液供給部５２（本発明の洗浄液供給手段に相当）が設けられている。不図示の検出手段によりノズル詰まりが検出された場合や不図示のノズル吸引手段でノズル吸引を行った後など、記録ヘッド１０の吐出面１０ａに付着した液体（各色インク又は処理液）を除去する必要が生じた場合には、図１に示すようなメンテナンスポジションにキャリッジ１４を移動させ、ヘッドワイピング部５０と洗浄液供給部５２を利用して、記録ヘッド１０の吐出面１０ａに対してワイピング動作を行う。
【００４４】
ヘッドワイピング部５０は、記録ヘッド１０の吐出面１０ａのうち、各色インクに対応するノズル領域２０Ｋ、２０Ｃ、２０Ｍ、２０Ｙに対してワイピングを行う長尺のインクワイパー５４と、処理液に対応するノズル領域２０Ｓに対してワイピングを行う短尺の処理液ワイパー５６とから構成される。図示の例では、４つのノズル領域２０Ｋ、２０Ｃ、２０Ｍ、２０Ｙに対応して、１つのインクワイパー５４が設けられているが、複数のインクワイパー５４が設けられていても本発明は適用可能である。
【００４５】
インクワイパー５４と処理液ワイパー５６の構成は、ワイピング対象とするノズル領域２０が異なる点以外は共通することから、以下では、これらを代表してインクワイパー５４の構成について説明する。
【００４６】
インクワイパー５４は、記録ヘッド１０側の先端が突起状に構成される突起部５８と、インクの受け皿となる溝部６０ａが形成される本体部６０とから構成される。
【００４７】
突起部５８は弾性材料で構成され、特にインク固着がないように撥液性でインクに腐食されない耐インク性を有する材料が好ましく、例えば、フッ素ゴム、シリコーンゴム、二トリルゴム、クロロプレンゴム、エチレン・プロピレンゴム、ウレタンゴムなどがある。これらの中でも、撥液性が特に高いフッ素ゴムがより好ましい。また、このような非吸収性の部材に限らず、吸収性の部材により突起部５８が構成されていても本発明は適用可能である。
【００４８】
本体部６０に形成される溝部６０ａの底面は、突起部５８側に比べてその反対側が低くなるように傾斜しており、溝部６０ａ内のインクが突起部５８から離れた端部側に集まりやすく、不図示の廃液チューブを用いて溝部６０ａ内のインクを回収しやすい構成となっている。
【００４９】
インクワイパー５４は、不図示の駆動手段によってワイパー移動方向（図１参照）に沿って移動可能に構成される。なお、インクワイパー５４と処理液ワイパー５６は、それぞれワイパー移動方向に沿って別々に移動可能に構成されている。
【００５０】
洗浄液供給部５２は、その上部に洗浄液タンク６２が一体的に構成された交換可能なカートリッジとして構成されており、メンテナンスポジションに移動したキャリッジ１４の副走査方向下流側に並ぶ位置に配置される。
【００５１】
洗浄液供給部５２には、その下側（記録媒体１８側）に開口する供給口５２ａが形成されており、その供給口５２ａをほぼ塞ぐようにローラー６４が設けられる。洗浄液供給部５２内部には所定の洗浄液が貯蔵されており、ローラー６４の回転に応じて洗浄液供給部５２内部の洗浄液がローラー６４表面に接触する部材に供給される構成となっている。
【００５２】
図４は、ワイピング動作の様子を示した説明図である。図４（ａ）は、ワイピング動作が開始される前の状態を表している。記録ヘッド１０の吐出面１０ａに対してワイピングを行う場合には、まず、図４（ｂ）に示すように、インクワイパー５４を洗浄液供給部５２側にスライドさせ、洗浄液供給部５２の略真下を通過した付近で停止させる。インクワイパー５４を移動させる駆動手段として、例えば、図示するような無端状ベルト６６とモーター（不図示）を利用する方法があるが、もちろん、これに限定されるものではない。
【００５３】
続いて、インクワイパー５４が停止した状態において、記録ヘッド１０と洗浄液供給部５２を所定位置に下降させる。具体的には、インクワイパー５４を元の位置に向かってスライドさせる際、洗浄液供給部５２及び記録ヘッド１０の下側を通過するインクワイパー５４の突起部５８がそれら（５２、１０）に接触する位置まで下降させる。なお、図示の例では、キャリッジ１４の位置を変えることで、記録ヘッド１０の位置を下降させている。また、記録ヘッド１０や洗浄液供給部５２を下降させる代わりに、インクワイパー５４を所定位置まで上昇させてもよい。これらの昇降手段については公知のものを適用すればよいため説明を省略する。
【００５４】
続いて、図４（ｃ）に示すように、インクワイパー５４を元の位置に向かってゆっくりスライドさせる。このとき、まず、洗浄液供給部５２の略真下をインクワイパー５４の突起部５８が通過する際、突起部５８の接触によってローラー６４は従動回転し、洗浄液供給部５２内の洗浄液が突起部５８に付着する。続いて、記録ヘッド１０の略真下をインクワイパー５４の突起部５８が通過する際、図４（ｄ）に示すように、記録ヘッド１０の吐出面１０ａにインクワイパー５４の突起部５８を摺動させながらワイピングが行われ、吐出面１０ａに付着した液体（色インク又は処理液）を拭き取る。このとき、突起部５８に付着した洗浄液によって吐出面１０ａの洗浄が行われるので、各色インクと処理液が反応して色材の凝集物が吐出面１０ａに固着していても、洗浄液によりその凝集物は再分散され除去される。突起部５８によって拭き取られたインクはインクワイパー５４の本体部６０に形成される溝部６０ａに回収される。インクワイパー５４が元の位置に戻ったら、記録ヘッド１０と洗浄液供給部５２を元の位置（高さ）に戻す。
【００５５】
その後、インクワイパー５４と同様にして、処理液ワイパー５６を洗浄液供給部５２の略真下を通過するまで移動させた後、記録ヘッド１０と洗浄液供給部５２を所定位置に下降させ、処理液ワイパー５６を元の位置に向かってゆっくりスライドさせ、記録ヘッド１０の吐出面１０ａに処理液ワイパー５６の突起部５８を摺動させながらワイピングを行う。そして最後に、処理液ワイパー５６が元の位置に戻った後、記録ヘッド１０と洗浄液供給部５２を元の位置（高さ）に戻す。このようにして、記録ヘッド１０の吐出面１０ａに対するワイピング動作が完了する。
【００５６】
本実施形態では、インクワイパー５４と処理液ワイパー５６を同じタイミングで駆動せず、異なるタイミングで駆動し、まず、記録ヘッド１０の吐出面１０ａのうち、各色インクに対応するノズル領域２０Ｋ、２０Ｃ、２０Ｍ、２０Ｙに付着したインクをインクワイパー５４で取り除いてから、記録ヘッド１２の吐出面１０ａに付着した処理液を処理液ワイパー５６で取り除く。各ワイパー５４、５６は独立駆動可能に構成されていてもよいし、いずれか一方が他方に所定の時間差をおいて連動して駆動するような構成でもよい。また、先に処理液ワイパー５６を駆動してから、インクワイパー５４を駆動してもよい。インクワイパー５４と処理液ワイパー５６を一体的に構成した場合やインクワイパー５４と処理液ワイパー５６を同時に駆動する場合に比べて、記録ヘッド１０の吐出面１０ａで各色インクと処理液が混合するのを防止することができる。
【００５７】
また、記録ヘッド１０の吐出面１０ａ上で各色インクと処理液が反応して色材（顔料）の凝集物が固着しても、ワイピング動作時に洗浄液供給部５２より供給される洗浄液によってその凝集物は再分散され除去されるので、吐出不良のない、良好な画像記録を実現することができる。
【００５８】
本実施形態のインクジェット記録装置は、短尺の記録ヘッド１０を記録媒体１８の紙幅方向（主走査方向）に往復移動しながら記録を行うシリアル型の記録装置を一例として示したが、記録媒体１８の紙幅に対応する長尺のラインヘッドを記録媒体１８の紙搬送方向（副走査方向）に１回走査するだけで記録を行うフルライン型の記録装置に対しても本発明は適用可能である。
【００５９】
また、本実施形態の記録ヘッド１０は、圧電素子の変位を利用して吐出を行う圧電方式のものであるが、本発明は他の吐出方式でも適用可能である。例えば、吐出素子としてヒーターなどの発熱素子で生じる熱エネルギーを利用して吐出を行うサーマル方式や、静電誘導を利用して吐出を行う静電方式などでもよい。
【００６０】
また、本実施形態では、各色インクとして、ＫＣＭＹの標準色（４色）の構成を例示したが、インク色や色数の組み合わせについては本実施形態には限定されず、必要に応じて淡インク、濃インクを追加してもよい。例えば、ライトシアン、ライトマゼンタ等のライト系インクを吐出する記録ヘッドを追加する構成も可能である。
【００６１】
〔インクの説明〕
本実施形態で用いられる各色インク（Ｋ、Ｃ、Ｍ、Ｙ）は、溶媒不溶性材料として、色材（着色剤）である顔料やアクリル系ラテックスなどを含有する水性顔料インクが用いられる。
【００６２】
溶媒不溶性材料の濃度は、吐出に適切な粘度２０ｍＰａ・ｓ以下を考慮して１ｗｔ％以上２０ｗｔ％以下であることが好ましい。より好ましくは画像の光学濃度を得るために４ｗｔ％以上の顔料濃度である。
【００６３】
インクの表面張力は、吐出安定性を考慮して２０ｍＮ／ｍ以上４０ｍＮ／ｍであることが好ましい。
【００６４】
顔料、ラテックス以外に１種類ないしは複数種類のポリマー粒子が混合されても良い。
【００６５】
本実施形態において、水性顔料インクの組成物に含まれる顔料は有機顔料が好ましい。以下に、水性顔料インクの組成物に用いられる有機顔料の具体例を示す。
【００６６】
シアン色の顔料としては、Ｃ．Ｉ．Ｐｉｇｍｅｎｔ  Ｂｌｕｅ−１、Ｃ．Ｉ．Ｐｉｇｍｅｎｔ  Ｂｌｕｅ−２、Ｃ．Ｉ．Ｐｉｇｍｅｎｔ  Ｂｌｕｅ−３、Ｃ．Ｉ．Ｐｉｇｍｅｎｔ  Ｂｌｕｅ−１５、Ｃ．Ｉ．Ｐｉｇｍｅｎｔ  Ｂｌｕｅ−１５：２、Ｃ．Ｉ．Ｐｉｇｍｅｎｔ  Ｂｌｕｅ−１５：３、Ｃ．Ｉ．Ｐｉｇｍｅｎｔ  Ｂｌｕｅ−１５：４、Ｃ．Ｉ．Ｐｉｇｍｅｎｔ  Ｂｌｕｅ−１６、Ｃ．Ｉ．Ｐｉｇｍｅｎｔ  Ｂｌｕｅ−２２等が挙げられるが、これらに限定されない。
【００６７】
マゼンタ色の顔料としては、Ｃ．Ｉ．Ｐｉｇｍｅｎｔ  Ｒｅｄ−５、Ｃ．Ｉ．Ｐｉｇｍｅｎｔ  Ｒｅｄ−７、Ｃ．Ｉ．Ｐｉｇｍｅｎｔ  Ｒｅｄ−１２、Ｃ．Ｉ．Ｐｉｇｍｅｎｔ
Ｒｅｄ−４８、Ｃ．Ｉ．Ｐｉｇｍｅｎｔ  Ｒｅｄ−４８：１、Ｃ．Ｉ．Ｐｉｇｍｅｎｔ
Ｒｅｄ−５７、Ｃ．Ｉ．Ｐｉｇｍｅｎｔ  Ｒｅｄ−１１２、Ｃ．Ｉ．Ｐｉｇｍｅｎｔ  Ｒｅｄ−１２２、Ｃ．Ｉ．Ｐｉｇｍｅｎｔ  Ｒｅｄ−１２３、Ｃ．Ｉ．Ｐｉｇｍｅｎｔ  Ｒｅｄ−１４６、Ｃ．Ｉ．Ｐｉｇｍｅｎｔ  Ｒｅｄ−１６８、Ｃ．Ｉ．Ｐｉｇｍｅｎｔ  Ｒｅｄ−１８４、Ｃ．Ｉ．Ｐｉｇｍｅｎｔ  Ｒｅｄ−２０２、Ｃ．Ｉ．Ｐｉｇｍｅｎｔ  Ｒｅｄ−２０７等が挙げられるが、これらに限定されない。
【００６８】
イエローの顔料としては、Ｃ．Ｉ．Ｐｉｇｍｅｎｔ  Ｙｅｌｌｏｗ−１２、Ｃ．Ｉ．Ｐｉｇｍｅｎｔ  Ｙｅｌｌｏｗ−１３、Ｃ．Ｉ．Ｐｉｇｍｅｎｔ  Ｙｅｌｌｏｗ−１４、Ｃ．Ｉ．Ｐｉｇｍｅｎｔ  Ｙｅｌｌｏｗ−１６、Ｃ．Ｉ．Ｐｉｇｍｅｎｔ  Ｙｅｌｌｏｗ１７、Ｃ．Ｉ．Ｐｉｇｍｅｎｔ  Ｙｅｌｌｏｗ−７４、Ｃ．Ｉ．Ｐｉｇｍｅｎｔ  Ｙｅｌｌｏｗ−８３、Ｃ．Ｉ．Ｐｉｇｍｅｎｔ  Ｙｅｌｌｏｗ−９３、Ｃ．Ｉ．ＰｉｇｍｅｎｔＹｅｌｌｏｗ−９５、Ｃ．Ｉ．Ｐｉｇｍｅｎｔ  Ｙｅｌｌｏｗ−９７、Ｃ．Ｉ．Ｐｉｇｍｅｎｔ  Ｙｅｌｌｏｗ−９８、Ｃ．Ｉ．Ｐｉｇｍｅｎｔ  Ｙｅｌｌｏｗ−１１４、Ｃ．Ｉ．等が挙げられるが、これらに限定されない。
【００６９】
定着用樹脂としては、アクリル系、ウレタン系、ポリエステル系、ビニル系、スチレン系等が考えられる。定着性向上といった機能を充分に発現させるには、比較的高分子のポリマーを高濃度１重量％〜２０重量％に添加することが必要である。しかし、上記材料を液体に溶解させて添加しようとすると高粘度化し、吐出性が低下する。適切な材料を高濃度に添加し、かつ粘度上昇を抑えるには、ラテックスとして添加する手段が有効である。ラテックス材料としては、アクリル酸アルキル共重合体、カルボキシ変性ＳＢＲ（スチレン−ブタジエンラテックス）、ＳＩＲ（スチレン−イソプレン）ラテックス、ＭＢＲ（メタクリル酸メチル−ブタジエンラテックス）、ＮＢＲ（アクリロニトリル−ブタジエンラテックス）、等が考えられる。ラテックスのガラス転移点Ｔｇはプロセス上、定着時に影響の強い値で、常温保存時の安定性と加熱後の転写性を両立するために、５０℃以上１２０℃以下であることが好ましい。さらに最低造膜温度ＭＦＴはプロセス上、定着時に影響の強い値で、低温で充分な定着を得る為に１００℃以下、さらに好ましくは５０℃以下である。
【００７０】
〔洗浄液の説明〕
洗浄液としては、インク分散媒に含まれる材料を含有する洗浄液を用いることが好ましい。その中でも特に、インク分散媒に重量濃度で最も多く含まれる材料を含有する洗浄液を用いることが適切である。インク分散媒はインクを特に分散する様に設計されているからである。従って、水系インクを用いる際にはイオン交換水は洗浄液として十分な効果がある。ただし、洗浄する面には細かな凹凸がある場合には、凹部までよく洗浄液が濡れる様に界面活性剤を含む洗浄液が好ましく用いられる。界面活性剤の具体例としては、脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等のアニオン系界面活性剤や、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー、等のノニオン系界面活性剤が好ましい。またオルフィンも好ましく用いることができる。また、長期保存を行なうためには防腐材料を含有することが適切で、グリセリン、エチレングリコール、プロピレングリコール、ジエチレングリコール、ポリエチレングリコール、等の有機溶剤を含むものがより好ましい。 
【実施例】
【００７１】
次に、実施例を挙げて本発明を具体的に説明するが、本発明はこれらに限定されるものではない。
【００７２】
〔インク〕
本実施例では、各色インクとして、シアン（Ｃ）、マゼンダ（Ｍ）、イエロー（Ｙ）の顔料インクを用いる。また、更にアクリル系ラテックスを含有したアクリル系ラテックス含有顔料インクも用いる。以下、本実施例で用いたインクの詳細な作製法を説明する．
まず、インクを分散する方法としてはボールミル、サンドミル、ビーズミル、高圧ホモジナイザー、超音波ホモジナイザー等があるが、微細な粒子を比較的単分散できる方法として超音波ホモジナイザーを用いる方法が適切である。超音波ホモジナイザーは超音波による溶液中にキャビテーション現象で気泡を発生、消滅させ、その際の衝撃で溶液中の粗大粒子を粉砕することができる。超音波照射時間、又は照射エネルギー、又はその両方を調整することで、平均粒子径と粗大粒子の含有率を調整することができる。分散剤として、メタクリル酸（Ａ）、ベンジルメタクリレート（Ｂ）、エトキシトリエチレングリコールメタクリレート（Ｃ）のＡＢＣ型のブロックポリマー（Ａ：Ｂ：Ｃ＝１３：４：１０モル比）として使用した。ポリマー３０ｇ、水酸化カリウム４５％の水溶液９ｇ、脱イオン水２６１ｇとして均一になるまで混合を行った。該ポリマーに、Ｃ．Ｉ．Ｐｉｇｍｅｎｔ  Ｒｅｄ-１２２を１５０ｇ，及び脱イオン水５５０ｇを加えて混合し、ディスパー分散機で３０分攪拌して予備混合を行なった。次いでこの予備混合物を内容量２リットルの２重タンクに入れ、１8℃の冷水で冷却しながらディスパー羽根にて攪拌しつつ、超音波ホモジナイザーＵＳ-１２００Ｔ型（（株）日本精機製作所）で３６ｍｍのチップを用いて３０分バッチ照射を行なった。この時の振動振幅は２８μｍ（マイクロメートル）、超音波照射エネルギー密度は１１０Ｗ/ｃｍ２であった。
【００７３】
前記方法では超音波ホモジナイザー照射時間を３０分、超音波照射エネルギー密度を１１０Ｗ/ｃｍ２としたが、照射時間と照射エネルギーを変えてインク１０１〜１０５という粒径分布違いの顔料分散物を５種類用意した。
【００７４】
ラテックス添加インクについては，前述の方法にて得られた顔料の分散物に，アクリル系ラテックス（平均粒径３０ｎｍ、ジュリマーＥＴ-４１０，日本純薬製）、スチレンアクリル系ラテックス（平均粒径57ｎｍ，ジョンクリル537，ジョンソンポリマー製）（平均粒径89ｎｍ，ジョンクリル7640，ジョンソンポリマー製）、エチレンアクリル系ラテックス（平均粒径8.7ｎｍ，ザイクセンL，住友精化製）をそれぞれ添加し、グリセリン，ジエチレングリコール，オルフィンＥ１０１０（日信化学工業製）、イオン交換水を所定の所望の質量比になるように調液し、混合攪拌を行ない、それぞれインク１０６〜１１９を得た。
【００７５】
インクに用いた顔料，ラテックスはいずれも処理液に対して凝集反応性を示すものを用いている。
【００７６】
インクは調液後平均孔径０．５μｍのアセチルセルロース膜フィルタ（富士写真フイルム製）で濾過し、粗大粒子を除去した。
【００７７】
最終的に次のような組成のインク１０１〜１１９を得た。
○インク１０１  顔料C.I.Pigment  Yellow-74  5重量%  平均粒子径φ151nm
○インク１０２  顔料C.I.ピグメントレッド122  5重量%  平均粒子径φ52nm
○インク１０３  顔料C.I.ピグメントレッド122  5重量%  平均粒子径φ85nm
○インク１０４  顔料C.I.ピグメントレッド122  5重量%  平均粒子径φ125nm
○インク１０５  顔料C.I.Pigment  blue 15:6  5重量%  平均粒子径φ76nm  
○インク１０６  顔料C.I.Pigment  Yellow-74  5重量%  平均粒子径φ151nm
アクリル系ラテックス
（平均粒径30nm，ジュリマーET-410，日本純薬製）  5重量%
○インク１０７  顔料C.I.ピグメントレッド122  5重量%  平均粒子径φ52nm
アクリル系ラテックス
（平均粒径30nm，ジュリマーET-410，日本純薬製）  5重量%
○インク１０８  顔料C.I.ピグメントレッド122  5重量%  平均粒子径φ85nm
アクリル系ラテックス
（平均粒径30nm，ジュリマーET-410，日本純薬製）  5重量%
○インク１０９  顔料C.I.ピグメントレッド122  5重量%  平均粒子径φ125nm
アクリル系ラテックス
（平均粒径30nm，ジュリマーET-410，日本純薬製）  5重量%
○インク１１０  顔料C.I.Pigment  blue-15:6  5重量%  平均粒子径φ76nm
アクリル系ラテックス
（平均粒径30nm，ジュリマーET-410，日本純薬製）  5重量%
○インク１１１  顔料C.I.Pigment  Yellow-74  5重量%  平均粒子径φ151nm
スチレンアクリル系ラテックス
（平均粒径57ｎｍ，ジョンクリル537，ジョンソンポリマー製）  5重量%
○インク１１２  顔料C.I.ピグメントレッド122  5重量%  平均粒子径φ85nm
スチレンアクリル系ラテックス
（平均粒径57ｎｍ，ジョンクリル537，ジョンソンポリマー製）  5重量%
○インク１１３  顔料C.I.Pigment  blue-15:6  5重量%  平均粒子径φ76nm
スチレンアクリル系ラテックス
（平均粒径57ｎｍ，ジョンクリル537，ジョンソンポリマー製）  5重量%
○インク１１４  顔料C.I.Pigment  Yellow-74  5重量%  平均粒子径φ151nm
スチレンアクリル系ラテックス
（平均粒径89ｎｍ，ジョンクリル7640，ジョンソンポリマー製） 5重量%
○インク１１５  顔料C.I.ピグメントレッド122  5重量%  平均粒子径φ85nm
スチレンアクリル系ラテックス
（平均粒径89ｎｍ，ジョンクリル7640，ジョンソンポリマー製） 5重量%
○インク１１６  顔料C.I.Pigment  blue-15:6  5重量%  平均粒子径φ76nm
スチレンアクリル系ラテックス
（平均粒径89ｎｍ，ジョンクリル7640，ジョンソンポリマー製） 5重量%
○インク１１７  顔料C.I.Pigment  Yellow-74  5重量%  平均粒子径φ151nm
エチレンアクリル系ラテックス
（平均粒径8.7ｎｍ，ザイクセンL，住友精化製）  5重量%
○インク１１８  顔料C.I.ピグメントレッド122  5重量%  平均粒子径φ85nm
エチレンアクリル系ラテックス
（平均粒径8.7ｎｍ，ザイクセンL，住友精化製）  5重量%
○インク１１９  顔料C.I.Pigment  blue-15:6  5重量%  平均粒子径φ76nm
エチレンアクリル系ラテックス
（平均粒径8.7ｎｍ，ザイクセンL，住友精化製）  5重量%
なお、各インク１０１〜１１９の顔料及びラテックス以外の組成物は次のとおりである。
【００７８】
・グリセリン  20重量%
・ジエチレングリコール  10重量%
・オルフィンE1010（日信化学工業製）  2重量%
・イオン交換水  残量
〔処理液〕
本実施例では、下記組成の処理液を用いた。
【００７９】
・イオン交換水          69重量%
・グリセリン            20重量%
・ジエチレングリコール  10重量%
・オルフィン            1重量%
・pH調整剤              微量
〔粒径の測定〕
粒径は粒度分布計（日機装製，Nanotrac UPA-EX150）により測定を行なった．この粒度分布計は動的光散乱法という測定原理を用いている。粒子は直径数μm以下になると、溶媒分子運動の影響を受け、ブラウン運動を生じる。この運動の速さは粒子の大きさによって異なり、小さい粒子は速く、大きい粒子はゆっくり動く。これらの運動した粒子へレーザー光を照射すると、その速度に応じた位相の違う光の散乱が生じ，散乱光を分光するとドップラーシフトが得られる。動的光散乱法とはドップラーシフトされた粒子径情報を検出して粒度分布を求める方法である。インク不溶性材料の粒径分布測定では何れもインクをイオン交換水で質量として1000倍に希釈し、透過モード、非球形として計測を行なっている。
【００８０】
〔洗浄液〕
洗浄液としては一番簡単にはインクの分散媒を用いることができる。インク分散媒で希釈することで反応の進行を抑止することができる。本実施例でもインク分散媒を洗浄液として用いた。また、表面張力の低い洗浄液と、単純なイオン交換水を準備した。
【００８１】
本実施例では、下記組成の洗浄液を用いた。
【００８２】
○洗浄液１
・グリセリン                          20重量%
・ジエチレングリコール                10重量%
・オルフィンE1010（日信化学工業製）    2重量%
・イオン交換水                          残量
○洗浄液２
・グリセリン                            30重量%
・オルフィンE1010（日信化学工業製）    10重量%
・イオン交換水                          残量
○洗浄液３
・イオン交換水                          100％
〔評価方法〕
図１に示したインクジェット記録装置と後述する複数のインクセット２０１〜２１１を用いて、評価実験を実施した。
【００８３】
記録ヘッド１０には、圧電方式（ピエゾ方式）のＰＸ−Ｇ９３０（セイコーエプソン社製）を使用した。また、カートリッジ１２としては、各インクセットのインクにそれぞれ対応するカートリッジをキャリッジ１４に搭載した。本実施例では、各インクセット２０１〜２１１はそれぞれ３種類のインクから成り、これらインクに対応する３つのカートリッジ１２をキャリッジ１４に搭載して評価実験を行った。
【００８４】
まず、記録ヘッド１０に駆動信号を供給し、ノズル３０から吐出される液滴量（体積）が１．５ｐｌとなる吐出条件で、各色インクに対応するノズル領域２０の１８０個のノズル３０が全て正常に吐出することを確認する。
【００８５】
続いて、処理液を３μｍ厚に塗布したＰＥＴシートを記録ヘッド１０の吐出面１０ａに1秒程度押し当てる。ここでは処理液の付着した記録媒体１８が吐出面１０ａに接触したときの状態を擬似的に再現している。これにより、各ノズル３０の開口付近でインクと処理液が反応し、インク中に含有される色材（顔料）の凝集反応が進行する。
【００８６】
次に、上述した洗浄液を用いて、記録ヘッド１０の吐出面１０ａに対してワイピング動作を１回と設定して行う。なお、各ワイパー５４、５６の突起部５８の構成材料には、撥液性が特に高いフッ素ゴムを用いている。そして最後に、１８０個のノズル３０の吐出状況をノズルチェックパターンを描画して確認する。全ノズル吐出したものについては洗浄が問題なく行なわれ、連続吐出可能であり、装置として問題なく搭載可能である。一方、吐出しないノズルが１０％未満であるものに関しては、ノズル洗浄をさらに２０回、３０回と行なっても、不吐出となったノズルが回復することはない。その状態においては、記録ヘッド１０が保持するインクを一度抜いて、洗浄液をインク供給側から記録ヘッドに供給し、ノズルにメンテナンス部を設置して、吸引動作を行なえば全ノズル吐出可能であることを確かめた。一方、不吐出となったノズルが１０％以上あったものについては、吸引動作を行なっても全く吐出回復しない。不吐出ノズルが１０％以上というのは、洗浄不能となり、装置として搭載不可能な状態となっている。
【００８７】
全てのノズル３０が吐出したものについては◎、吐出しないノズル３０はあるが10％未満であるものを○、吐出しないノズル３０が10％以上あったものを×とし、記録ヘッド１０の吐出面１０ａに対する洗浄液の洗浄性の評価を実施した。
【００８８】
〔評価結果〕
まず、洗浄液１、洗浄液２、洗浄液３を用いて、顔料インクのインクセット２０１〜２０４を用いた場合の洗浄性評価結果を図５に示す。同図には、各インクセット２０１〜２０４を用いた場合の洗浄性の評価結果とともに、インクセットの各インクに含有される溶媒不溶性材料の最大粒子径Dmax、最小粒子径Dmin、及びこれらの粒子径の比Dmax/Dminを示している。
【００８９】
図５から分かるように、Dmax/Dminが2.4以下の場合には吐出面１０ａに対する洗浄性が良好であることを示している。特に、Dmax/Dminが2.0以下の場合には吐出面１０ａに対する洗浄性が更に良好となることが分かった。
【００９０】
次に、洗浄液１を用いて、ラテックスを含有する顔料インクのインクセット２０５〜２０８を用いた場合の洗浄性評価結果を図６に示す。図６から分かるように、アクリル系ラテックスの平均粒子径が３０μｍの場合はいずれも洗浄性の評価結果が×であり、この場合には十分な洗浄性が得られないことが分かった。これは、粒径比が大きいと、大きな粒子の隙間に微小な粒子が埋まり、高密度な凝集物を形成し、洗浄液に対する再分散性が低下することを示している。粒径比が高いインクセットでは洗浄液の再分散性が十分得られない。
【００９１】
そこで、洗浄液１を用いて、他のラテックスを含有する顔料インクのインクセット２０９〜２１１を用いて洗浄性評価結果を行った。その結果を図７に示す。図７から分かるように、Dmax/Dminが2.6以下で吐出面１０ａに対する洗浄性が良好であることを示している。特に、Dmax/Dminが2.0以下を満たす場合には吐出面１０ａに対する洗浄性が更に良好となることも分かった。
【００９２】
これらの評価結果から、ラテックスの材質に関わらず、顔料やラテックスなどの溶媒不溶性材料の平均粒子径比が洗浄性に関係していることが分かった。つまり、Dmax/Dminが2.6以下、好ましくは、Dmax/Dminが2.0以下を満たすインクセットを用いることにより、記録ヘッド１０の吐出面１０ａに対する洗浄性が良好となり、各色インクと処理液が吐出面１０ａ上で反応して色材（顔料）の凝集物が固着しても、洗浄液を用いたワイピング動作による吐出面１０ａの洗浄で元の状態に十分回復することができる。このため、ノズル吸引や予備吐出といった他の回復動作を行う必要がなく、吐出不良のない、良好な画像記録を実現することができる。
【００９３】
溶媒不溶性材料の粒子径比が洗浄性に関わる要因として，凝集物の密度と凝集力の強さにあると考えられる。大径粒子がお互いに接する様に構造を作っている場合、大径粒子の隙間を埋める様に小径粒子が配置される条件は少なくとも、粒子径比が2.6以下であることが必要であると、幾何学的にも考えられる。
【００９４】
さらには、粒子径比が大きくなるほど粒子間の衝突頻度が増し、凝集反応が速くなることが解析的に分かっている。粒子径比が大きくなる程、凝集速度は高く、高密度な凝集物を形成しやすく、硬い凝集物を形成してしまい、容易に凝集物が再分散し難くなる。
【００９５】
粒子径比と凝集物の体積の関係を調べることにした。インクセット中のインクを等質量で混合し、処理液を付与した非浸透メディア上に、前述のインクジェット記録装置で7plのドット画像を形成し、描画で得られた凝集物を水で洗浄し、高沸点溶媒を除去した後、電子顕微鏡で凝集物の構造を確認すると、Dmax/Dminが2.9であるインクセット２０１では、凝集物の空隙が小さいが、Dmax/Dminが2.6、2.4または2.0となり、洗浄液に対する再分散性が良好であったインクセット２０２、２０３、２０４、２０９、２１０においては、凝集物の空隙が大きいことが観察された。
【００９６】
また、レーザー顕微鏡（キーエンス社製，VK-9500）で凝集物の体積測定を行ない、Dmax/Dminが2.6、2.4または2.0となるインクセット２０２、２０３、２０４、２０９、２１０においては、非浸透メディアのPET上に７pl打滴で形成したドット体積が、1滴当たりそれぞれ、3000μｍ2であったのに対し、インクセット２０５、２０６、２０７、２０８で形成したドットの体積はいずれも1500μｍ2まで下がり、高密度な凝集物となっていた。
【００９７】
前述の様に、凝集体の密度が小さく、高密度な凝集体を形成する際には、粒子同士の接触面積が大きく、洗浄液を用いても再分散できない。
【００９８】
前述した様に粒径比が大きいと、大きな粒子の隙間に微小な粒子が埋まり、高密度な凝集物を形成し、洗浄液に対する再分散性が低下することを示している。粒径比が高いインクセットでは洗浄液の再分散性が十分得られない。
【００９９】
更に、今回洗浄性良好と判断されたインクについては、いずれの材料の平均粒子径も50nm以上であり、微小粒径粒子の含有は洗浄性に悪影響であることが分かった。
【０１００】
粒子径については、これが小さくなる程，同じ重量濃度でインクに添加しても含有粒子密度が増える為、粒子の衝突頻度が増加する。また、増加後の凝集確率も小粒子径であるほど高いことが知られている。上記の効果により粒子径が小さくなる程凝集速度は高く、高密度な凝集物を形成しやすく、凝集後の再分散が難しくなる。
【０１０１】
今回用いたラテックスのガラス転移点は、アクリル系ラテックス（平均粒径３０ｎｍ、ジュリマーＥＴ-４１０，日本純薬製）が45℃、スチレンアクリル系ラテックス（平均粒径57ｎｍ，ジョンクリル537，ジョンソンポリマー製）が49℃、（平均粒径89ｎｍ，ジョンクリル7640，ジョンソンポリマー製）が85℃，エチレンアクリル系ラテックス（平均粒径8.7ｎｍ，ザイクセンL，住友精化製）が＜10℃であった。必要条件として粒子のガラス転移点が45℃以上である。
【０１０２】
ガラス転移点は粒子表面同士が融着する温度と考えてよい。一度融着された粒子は科学的な結合力で粒子同士が付着しているため、再分散することは困難である．本出願では粒子同士が分子間力で付着することを前提とし、分子間力という比較的弱い付着状態にある粒子を洗浄液で再分散することを狙っている。従って、粒子同士の融着を防ぐために、ガラス転移点は少なくとも室温以上である必要がある．装置の温度上昇や環境温度変化を考えると、ガラス転移点は少なくとも45℃以上であることが好ましい。
【０１０３】
本出願では、溶媒不溶性材料の平均粒子径のうち、最大となる粒子径をDmax、最小となる粒子径をDminとしたとき、Dmax/Dmin≦2.6の条件として、粒子径比の上限を示したものであるが、下限値については、同一のインクだけでインクセットを形成することは当然ながら含まれるため、Dmax/Dmin≧1.0である．ただし、同一径の粒子のみで画像が形成を形成するのは困難である。イエロー顔料インクは、光学濃度を得るためには150nm以上の平均粒子径を持つことが好ましい。一方、シアン、マゼンタ、黒色顔料は粒子径を100nm以下に設定することができる。従って、２液反応性の粒子径比が、より好ましくはDmax/Dmin≧1.5である。
【０１０４】
本発明は、記録ヘッド１０（液体吐出手段）の吐出面の洗浄に限らず、記録媒体の搬送を行う紙搬送部（例えば搬送ベルトなど）や、中間転写体に画像を形成してから記録媒体に転写を行う転写型の記録装置における中間転写体の洗浄などにも適用することが可能である。
【０１０５】
以上、本発明のインクジェット記録装置及びインクジェット記録方法について詳細に説明したが、本発明は、以上の例には限定されず、本発明の要旨を逸脱しない範囲において、各種の改良や変形を行ってもよいのはもちろんである。
【図面の簡単な説明】
【０１０６】
【図１】インクジェット記録装置の概略構成を示す模式的斜視図
【図２】記録ヘッドの吐出面を示した平面図
【図３】記録ヘッド及びカートリッジの要部構成を示した部分断面図
【図４】ワイピング動作の様子を示した説明図
【図５】インクセット２０１〜２０４を用いたときの洗浄性評価結果
【図６】インクセット２０５〜２０８を用いたときの洗浄性評価結果
【図７】インクセット２０９〜２１１を用いたときの洗浄性評価結果
【符号の説明】
【０１０７】
１０…記録ヘッド、１０ａ…吐出面、１２…カートリッジ、１４…キャリッジ、１８…記録媒体、２０…ノズル領域、３０…ノズル、３２…圧力室、３４…圧電素子、３６…振動板、３８…共通流路、５０…ワイピング部、５２…洗浄液供給部、５４…インクワイパー、５６…処理液ワイパー、５８…突起部、６０…本体部、６０ａ…溝部、６２…洗浄液タンク、６４…ローラー
【図１】
2008246786.tif 000003
【図２】
2008246786.tif 000004
【図３】
2008246786.tif 000005
【図４】
2008246786.tif 000006
【図５】
2008246786.tif 000007
【図６】
2008246786.tif 000008
【図７】
2008246786.tif 000009